(57)【特許請求の範囲】
【請求項１】
複数の生体に設けられ、各生体から生体情報を取り出すためのセンサと、
この各センサにより得られる生体情報と、生体毎の生体情報における監視対象項目に対応して設定されているアラーム発生条件情報に基づきバイタルアラーム情報を出力するバイタルアラーム情報出力手段と、
前記生体毎の各センサにより得られる生体情報に基づき、生体情報波形を作成する生体情報波形作成手段と、
前記生体毎の所要センサにより得られる生体情報とセンサ状態とに基づき、測定状態の異常を示すテクニカルアラーム情報を検出出力する検出出力手段と、
前記バイタルアラーム情報出力手段による出力結果に基づき、前記生体毎に別けてバイタルアラームの発生履歴情報を表示データ化すると共に、前記検出出力手段による検出結果に基づき、前記生体毎に別けてテクニカルアラームの発生履歴情報を表示データ化する履歴表示データ化手段と、
前記検出出力手段による少なくとも現在の検出結果情報に基づき、前記生体毎に別けて現状における所要センサによるテクニカルアラームの発生に関する度合を段階的に示すモニタ状態情報を作成するモニタ状態情報作成手段と、
各種情報を表示するための画面を備える表示手段と、
前記画面の第１の領域に前記生体情報波形作成手段により作成された所定数の生体に対応する生体情報波形を表示し、前記第１の領域と異なる前記画面の第２の領域に、前記履歴表示データ化手段により作成された所定数の生体毎に別けられたバイタルアラームの発生履歴情報が表示データ化されたバイタルアラームのみか、又は前記履歴表示データ化手段により作成された所定数の生体毎に別けられたテクニカルアラームの発生履歴情報が表示データ化されたテクニカルアラームのみか、又は表示データ化されたバイタルアラーム及び表示データ化されたテクニカルアラームの混合のいずれかを選択的に表示し、前記第１及び第２の領域と異なる前記画面の第３の領域に前記モニタ状態情報作成手段により作成された所定数の生体に対応するモニタ状態情報を表示する表示制御手段と
を具備することを特徴とする生体情報表示システム。
【請求項２】
前記表示制御手段は、表示する内容を選択するための操作部からの入力に応じて、少なくともバイタルアラームとテクニカルアラームとに関する表示切り換えを行うことを特徴とする請求項１に記載の生体情報表示システム。
【請求項３】
複数の生体毎の生体情報における複数の監視対象項目に対応してアラーム発生条件情報を設定するための設定画面情報を備え、
前記表示制御手段は、表示する内容を選択するための操作部からの入力に応じて、前記設定画面情報に基づき、複数の生体毎の生体情報における複数の監視対象項目に対応してアラーム発生条件情報を設定するための設定画面を前記第２の領域及び前記第３の領域に表示することを特徴とする請求項１または２に記載の生体情報表示システム。
【請求項４】
履歴表示データ化手段は、アラームの履歴情報を時系列に配列して表示データ化することを特徴とする請求項１乃至３のいずれか１項に記載の生体情報表示システム。
【請求項５】
履歴表示データ化手段は、少なくともアラームの発生時点を示すシンボルを時系列に配列して表示データ化することを特徴とする請求項１乃至４のいずれか１項に記載の生体情報表示システム。
【請求項６】
前記履歴表示データ化手段は、単一の生体毎に、バイタルアラームの発生履歴情報とテクニカルアラームの発生履歴情報を前記第２の領域に表示するための表示データ化を行うものであり、
前記表示制御手段は、表示する内容を選択するための操作部からの入力に応じて、前記履歴表示データ化手段によりデータ化された所要の一生体に対応するバイタルアラームの発生履歴情報とテクニカルアラームの発生履歴情報を前記第２の領域に表示することを特徴とする請求項１乃至５のいずれか１項に記載の生体情報表示システム。
【請求項７】
複数の生体に設けられ、各生体から生体情報を取り出すためのセンサにより得られる生体情報を送信する送信手段から情報送信を受ける受信部と、
各種情報を表示するための画面を備える表示手段と、
前記受信手段により受信される生体情報に関し、生体毎の生体情報における監視対象項目に対応して設定されているアラーム発生条件情報に基づきバイタルアラーム発生の判断を行い、バイタルアラーム情報を出力するバイタルアラーム情報出力手段と、
前記生体毎の各センサにより得られる生体情報に基づき、生体情報波形を作成する生体情報波形作成手段と、
前記生体毎の所要センサにより得られる生体情報とセンサ状態とに基づき、測定状態の異常を示すテクニカルアラーム情報を検出出力する検出出力手段と、
前記バイタルアラーム情報出力手段による出力結果に基づき、前記生体毎に別けてバイタルアラームの発生履歴情報を表示データ化すると共に、前記検出出力手段による検出結果に基づき、前記生体毎に別けてテクニカルアラームの発生履歴情報を表示データ化する履歴表示データ化手段と、
前記検出出力手段による少なくとも現在の検出結果情報に基づき、前記生体毎に別けて現状における所要センサによるテクニカルアラームの発生に関する度合を段階的に示すモニタ状態情報を作成するモニタ状態情報作成手段と、
前記画面の第１の領域に前記生体情報波形作成手段により作成された所定数の生体に対応する生体情報波形を表示し、前記第１の領域と異なる前記画面の第２の領域に、前記履歴表示データ化手段により作成された所定数の生体毎に別けられたバイタルアラームの発生履歴情報が表示データ化されたバイタルアラームのみか、又は前記履歴表示データ化手段により作成された所定数の生体毎に別けられたテクニカルアラームの発生履歴情報が表示データ化されたテクニカルアラームのみか、又は表示データ化されたバイタルアラーム及び表示データ化されたテクニカルアラームの混合のいずれかを選択的に表示し、前記第１及び第２の領域と異なる前記画面の第３の領域に前記モニタ状態情報作成手段により作成された所定数の生体に対応するモニタ状態情報を表示する表示制御手段と
を具備することを特徴とする生体情報表示モニタ。
【請求項８】
前記表示制御手段は、表示する内容を選択するための操作部からの入力に応じて、少なくともバイタルアラームとテクニカルアラームとに関する表示切り換えを行うことを特徴とする請求項７に記載の生体情報表示モニタ。
【請求項９】
複数の生体毎の生体情報における複数の監視対象項目に対応してアラーム発生条件情報を設定するための設定画面情報を備え、
前記表示制御手段は、表示する内容を選択するための操作部からの入力に応じて、前記設定画面情報に基づき、複数の生体毎の生体情報における複数の監視対象項目に対応してアラーム発生条件情報を設定するための設定画面を前記第２の領域及び前記第３の領域に表示することを特徴とする請求項７または８に記載の生体情報表示モニタ。
【請求項１０】
履歴表示データ化手段は、少なくともアラームの履歴情報を時系列に配列して表示データ化することを特徴とする請求項７乃至９のいずれか１項に記載の生体情報表示モニタ。
【請求項１１】
履歴表示データ化手段は、アラームの発生時点を示すシンボルを時系列に配列して表示データ化することを特徴とする請求項７乃至１０のいずれか１項に記載の生体情報表示モニタ。
【請求項１２】
前記履歴表示データ化手段は、単一の生体毎に、バイタルアラームの発生履歴情報とテクニカルアラームの発生履歴情報を前記第２の領域に表示するための表示データ化を行うものであり、
前記表示制御手段は、表示する内容を選択するための操作部からの入力に応じて、前記履歴表示データ化手段によりデータ化された所要の一生体に対応するバイタルアラームの発生履歴情報とテクニカルアラームの発生履歴情報を前記第２の領域に表示することを特徴とする請求項７乃至１１のいずれか１項に記載の生体情報表示モニタ。
【請求項１３】
複数の生体に設けられ、各生体から生体情報を取り出すためのセンサにより得られる生体情報を送信する送信手段から情報送信を受ける受信部と、各種情報を表示するための画面を備える表示手段と、プログラムを実行するコンピュータとを備えた生体情報表示モニタにおける前記コンピュータを、
前記受信手段により受信される生体情報に関し、生体毎の生体情報における監視対象項目に対応して設定されているアラーム発生条件情報に基づきバイタルアラーム発生の判断を行い、バイタルアラーム情報を出力するバイタルアラーム情報出力手段と、
前記生体毎の各センサにより得られる生体情報に基づき、生体情報波形を作成する生体情報波形作成手段と、
前記生体毎の所要センサにより得られる生体情報とセンサ状態とに基づき、測定状態の異常を示すテクニカルアラーム情報を検出出力する検出出力手段と、
前記バイタルアラーム情報出力手段による出力結果に基づき、前記生体毎に別けてバイタルアラームの発生履歴情報を表示データ化すると共に、前記検出出力手段による検出結果に基づき、前記生体毎に別けてテクニカルアラームの発生履歴情報を表示データ化する履歴表示データ化手段と、
前記検出出力手段による少なくとも現在の検出結果情報に基づき、前記生体毎に別けて現状における所要センサによるテクニカルアラームの発生に関する度合を段階的に示すモニタ状態情報を作成するモニタ状態情報作成手段と、
前記画面の第１の領域に前記生体情報波形作成手段により作成された所定数の生体に対応する生体情報波形を表示し、前記第１の領域と異なる前記画面の第２の領域に、前記履歴表示データ化手段により作成された所定数の生体毎に別けられたバイタルアラームの発生履歴情報が表示データ化されたバイタルアラームのみか、又は前記履歴表示データ化手段により作成された所定数の生体毎に別けられたテクニカルアラームの発生履歴情報が表示データ化されたテクニカルアラームのみか、又は表示データ化されたバイタルアラーム及び表示データ化されたテクニカルアラームの混合のいずれかを選択的に表示し、前記第１及び第２の領域と異なる前記画面の第３の領域に前記モニタ状態情報作成手段により作成された所定数の生体に対応するモニタ状態情報を表示する表示制御手段と
して機能させることを特徴とする生体情報表示モニタ用プログラム。
【請求項１４】
前記表示制御手段は、表示する内容を選択するための操作部からの入力に応じて、少なくともバイタルアラームとテクニカルアラームとに関する表示切り換えを行うことを特徴とする請求項１３に記載の生体情報表示モニタ用プログラム。
【請求項１５】
複数の生体毎の生体情報における複数の監視対象項目に対応してアラーム発生条件情報を設定するための設定画面情報を備えており、
前記表示制御手段は、表示する内容を選択するための操作部からの入力に応じて、前記設定画面情報に基づき、複数の生体毎の生体情報における複数の監視対象項目に対応してアラーム発生条件情報を設定するための設定画面を前記第２の領域及び前記第３の領域に表示することを特徴とする請求項１３または１４に記載の生体情報表示モニタ用プログラム。
【請求項１６】
履歴表示データ化手段は、少なくともアラームの履歴情報を時系列に配列して表示データ化することを特徴とする請求項１３乃至１５のいずれか１項に記載の生体情報表示モニタ用プログラム。
【請求項１７】
履歴表示データ化手段は、アラームの発生時点を示すシンボルを時系列に配列して表示データ化することを特徴とする請求項１３乃至１６のいずれか１項に記載の生体情報表示モニタ用プログラム。
【請求項１８】
前記履歴表示データ化手段は、単一の生体毎に、バイタルアラームの発生履歴情報とテクニカルアラームの発生履歴情報を前記第２の領域に表示するための表示データ化を行うものであり、
前記表示制御手段は、表示する内容を選択するための操作部からの入力に応じて、前記履歴表示データ化手段によりデータ化された所要の一生体に対応するバイタルアラームの発生履歴情報とテクニカルアラームの発生履歴情報を前記第２の領域に表示することを特徴とする請求項１３乃至１７のいずれか１項に記載の生体情報表示モニタ用プログラム。
【発明の詳細な説明】
【技術分野】
【０００１】
この発明は、病院などにおいて複数患者から得られる各種の生体情報と共に、生体情報を得ている測定状態に関する情報を収集して、モニタリング可能とする生体情報表示システム、生体情報表示モニタ及び、上記生体情報表示モニタに用いられる生体情報表示モニタ用プログラムに関するものである。
【背景技術】
【０００２】
従来、患者の状態を監視することを目的として、生体に各種電極やアダプタなどを取り付けてセンサにより心電図や心拍数更にはＳｐＯ2（動脈血酸素飽和度）などの各種生体情報を取り出し、これをベッドサイドモニタにおいて可視データ化して表示するようにしている。
【０００３】
上記ベッドサイドモニタは患者対応に配置され、このベッドサイドモニタには、ネットワークを介してセントラルモニタが接続される。セントラルモニタは、ナースステーションなどに配置されるものであり、複数の患者から得られた生体情報を一括して監視可能に表示する。
【０００４】
上記のようなベッドサイドモニタやセントラルモニタを用いた生体情報表示システムとしては、複数の患者に対応する生体情報の監視対象項目であるパラメータを同時に表示し、パラメータ表示枠でアラーム情報を表示するものが知られている（特許文献１参照）。
【０００５】
また、複数の患者の生体情報を収集し、収集された生体情報からその異常状態を検知して得られるアラーム情報を、順次リアルタイムで記憶保持し、この記憶保持されたアラーム情報を患者名に関わりなくリアルタイムで時系列に表示し、アラーム発生の見落しを防止するように構成した生体情報表示システムも知られている（特許文献２参照）。
【０００６】
この特許文献２のシステムによれば、アラーム発生の履歴が表示されるため、見落しを防止できる効果がある。しかしながら、テクニカルアラームと称される測定状態の適否に関するアラームは、軽微な障害が繰り返し発生していることに起因していることが多く、例えば、電極が完全に外れるのではなく、外れかけの状態であって、正常測定と不正常測定が繰り返される場合などが多く、現状と対策を表示するだけでは必ずしも十分とは言えないものである。前述の通りの軽微な障害に対応するアラーム発生が繰り返されるような場合には、連続して数多くの同じ履歴が文字表示され、監視者にとっては、表示が単に煩わしいものと感じられてしまう可能性がある。
【特許文献１】特開２００２−２６３０７０号公報
【特許文献２】特開２００６−１８０９７９号公報
【発明の開示】
【発明が解決しようとする課題】
【０００７】
本発明は上記のような生体情報表示システムにおける問題点に鑑みなされたもので、その目的は、軽微な障害が繰り返し発生していることに起因しているテクニカルアラームについても的確に収集して表示することができ、しかも、煩わしさを感じさせることが少ないアラーム表示が可能な生体情報表示システムを提供することである。また、生体情報表示システムに用いられる生体情報表示モニタ、並びにこの生体情報表示モニタに用いられる生体情報表示モニタ用プログラムを提供することを目的とする。
【課題を解決するための手段】
【０００８】
本発明に係る生体情報表示システムは、複数の生体に設けられ、各生体から生体情報を取り出すためのセンサと、この各センサにより得られる生体情報と、生体毎の生体情報における監視対象項目に対応して設定されているアラーム発生条件情報に基づきバイタルアラーム情報を出力するバイタルアラーム情報出力手段と、前記生体毎の各センサにより得られる生体情報に基づき、生体情報波形を作成する生体情報波形作成手段と、前記生体毎の所要センサにより得られる生体情報とセンサ状態とに基づき、測定状態の異常を示すテクニカルアラーム情報を検出出力する検出出力手段と、前記バイタルアラーム情報出力手段による出力結果に基づき、前記生体毎に別けてバイタルアラームの発生履歴情報を表示データ化すると共に、前記検出出力手段による検出結果に基づき、前記生体毎に別けてテクニカルアラームの発生履歴情報を表示データ化する履歴表示データ化手段と、前記検出出力手段による少なくとも現在の検出結果情報に基づき、前記生体毎に別けて現状における所要センサによるテクニカルアラームの発生に関する度合を段階的に示すモニタ状態情報を作成するモニタ状態情報作成手段と、各種情報を表示するための画面を備える表示手段と、前記画面の第１の領域に前記生体情報波形作成手段により作成された所定数の生体に対応する生体情報波形を表示し、前記第１の領域と異なる前記画面の第２の領域に、前記履歴表示データ化手段により作成された所定数の生体毎に別けられたバイタルアラームの発生履歴情報が表示データ化されたバイタルアラームのみか、又は前記履歴表示データ化手段により作成された所定数の生体毎に別けられたテクニカルアラームの発生履歴情報が表示データ化されたテクニカルアラームのみか、又は表示データ化されたバイタルアラーム及び表示データ化されたテクニカルアラームの混合のいずれかを選択的に表示し、前記第１及び第２の領域と異なる前記画面の第３の領域に前記モニタ状態情報作成手段により作成された所定数の生体に対応するモニタ状態情報を表示する表示制御手段とを具備することを特徴とする。
【０００９】
本発明に係る生体情報表示モニタは、複数の生体に設けられ、各生体から生体情報を取り出すためのセンサにより得られる生体情報を送信する送信手段から情報送信を受ける受信部と、各種情報を表示するための画面を備える表示手段と、前記受信手段により受信される生体情報に関し、生体毎の生体情報における監視対象項目に対応して設定されているアラーム発生条件情報に基づきバイタルアラーム発生の判断を行い、バイタルアラーム情報を出力するバイタルアラーム情報出力手段と、前記生体毎の各センサにより得られる生体情報に基づき、生体情報波形を作成する生体情報波形作成手段と、前記生体毎の所要センサにより得られる生体情報とセンサ状態とに基づき、測定状態の異常を示すテクニカルアラーム情報を検出出力する検出出力手段と、前記バイタルアラーム情報出力手段による出力結果に基づき、前記生体毎に別けてバイタルアラームの発生履歴情報を表示データ化すると共に、前記検出出力手段による検出結果に基づき、前記生体毎に別けてテクニカルアラームの発生履歴情報を表示データ化する履歴表示データ化手段と、前記検出出力手段による少なくとも現在の検出結果情報に基づき、前記生体毎に別けて現状における所要センサによるテクニカルアラームの発生に関する度合を段階的に示すモニタ状態情報を作成するモニタ状態情報作成手段と、前記画面の第１の領域に前記生体情報波形作成手段により作成された所定数の生体に対応する生体情報波形を表示し、前記第１の領域と異なる前記画面の第２の領域に、前記履歴表示データ化手段により作成された所定数の生体毎に別けられたバイタルアラームの発生履歴情報が表示データ化されたバイタルアラームのみか、又は前記履歴表示データ化手段により作成された所定数の生体毎に別けられたテクニカルアラームの発生履歴情報が表示データ化されたテクニカルアラームのみか、又は表示データ化されたバイタルアラーム及び表示データ化されたテクニカルアラームの混合のいずれかを選択的に表示し、前記第１及び第２の領域と異なる前記画面の第３の領域に前記モニタ状態情報作成手段により作成された所定数の生体に対応するモニタ状態情報を表示する表示制御手段を具備することを特徴とする。
【００１０】
本発明に係る生体情報表示モニタ用プログラムは、複数の生体に設けられ、各生体から生体情報を取り出すためのセンサにより得られる生体情報を送信する送信手段から情報送信を受ける受信部と、各種情報を表示するための画面を備える表示手段と、プログラムを実行するコンピュータとを備えた生体情報表示モニタにおける前記コンピュータを、前記受信手段により受信される生体情報に関し、生体毎の生体情報における監視対象項目に対応して設定されているアラーム発生条件情報に基づきバイタルアラーム発生の判断を行い、バイタルアラーム情報を出力するバイタルアラーム情報出力手段と、前記生体毎の各センサにより得られる生体情報に基づき、生体情報波形を作成する生体情報波形作成手段と、
前記生体毎の所要センサにより得られる生体情報とセンサ状態とに基づき、測定状態の異常を示すテクニカルアラーム情報を検出出力する検出出力手段と、前記バイタルアラーム情報出力手段による出力結果に基づき、前記生体毎に別けてバイタルアラームの発生履歴情報を表示データ化すると共に、前記検出出力手段による検出結果に基づき、前記生体毎に別けてテクニカルアラームの発生履歴情報を表示データ化する履歴表示データ化手段と、
前記検出出力手段による少なくとも現在の検出結果情報に基づき、前記生体毎に別けて現状における所要センサによるテクニカルアラームの発生に関する度合を段階的に示すモニタ状態情報を作成するモニタ状態情報作成手段と、前記画面の第１の領域に前記生体情報波形作成手段により作成された所定数の生体に対応する生体情報波形を表示し、前記第１の領域と異なる前記画面の第２の領域に、前記履歴表示データ化手段により作成された所定数の生体毎に別けられたバイタルアラームの発生履歴情報が表示データ化されたバイタルアラームのみか、又は前記履歴表示データ化手段により作成された所定数の生体毎に別けられたテクニカルアラームの発生履歴情報が表示データ化されたテクニカルアラームのみか、又は表示データ化されたバイタルアラーム及び表示データ化されたテクニカルアラームの混合のいずれかを選択的に表示し、前記第１及び第２の領域と異なる前記画面の第３の領域に前記モニタ状態情報作成手段により作成された所定数の生体に対応するモニタ状態情報を表示する表示制御手段として機能させることを特徴とする。
【００１１】
本発明に係る生体情報表示システム、生体情報表示モニタ及び生体情報表示モニタ用プログラムでは、前記表示制御手段は、表示する内容を選択するための操作部からの入力に応じて、少なくともバイタルアラームとテクニカルアラームとに関する表示切り換えを行うことを特徴とする。
【００１２】
本発明に係る生体情報表示システム、生体情報表示モニタ及び生体情報表示モニタ用プログラムでは、複数の生体毎の生体情報における複数の監視対象項目に対応してアラーム発生条件情報を設定するための設定画面情報を備え、前記表示制御手段は、表示する内容を選択するための操作部からの入力に応じて、前記設定画面情報に基づき、複数の生体毎の生体情報における複数の監視対象項目に対応してアラーム発生条件情報を設定するための設定画面を前記第２の領域及び前記第３の領域に表示することを特徴とする。
【００１３】
本発明に係る生体情報表示システム、生体情報表示モニタ及び生体情報表示モニタ用プログラムでは、履歴表示データ化手段は、アラームの履歴情報を時系列に配列して表示データ化することを特徴とする。
【００１４】
本発明に係る生体情報表示システム、生体情報表示モニタ及び生体情報表示モニタ用プログラムでは、履歴表示データ化手段は、少なくともアラームの発生時点を示すシンボルを時系列に配列して表示データ化することを特徴とする。
【００１５】
本発明に係る生体情報表示システム、生体情報表示モニタ及び生体情報表示モニタ用プログラムでは、前記履歴表示データ化手段は、単一の生体毎に、バイタルアラームの発生履歴情報とテクニカルアラームの発生履歴情報を前記第２の領域に表示するための表示データ化を行うものであり、前記表示制御手段は、表示する内容を選択するための操作部からの入力に応じて、前記履歴表示データ化手段によりデータ化された所要の一生体に対応するバイタルアラームの発生履歴情報とテクニカルアラームの発生履歴情報を前記第２の領域に表示することを特徴とする。
【発明の効果】
【００１６】
本発明に係る生体情報表示システム、生体情報表示モニタ及び生体情報表示モニタ用プログラムによれば、画面の第１の領域に上記生体情報波形作成手段により作成された所定数の生体に対応する生体情報波形を表示し、上記第１の領域と異なる上記画面の第２の領域に上記履歴表示データ化手段により作成された所定数の生体に対応するバイタルアラーム及び／又はテクニカルアラームを表示し、上記第１及び第２の領域と異なる上記画面の第３の領域に上記モニタ状態情報作成手段により作成された所定数の生体に対応するモニタ状態情報を表示するので、生体毎に別けてバイタルアラームの発生履歴情報が表示され及びまたは生体毎に別けてテクニカルアラームの発生履歴情報が表示され、アラーム発生履歴が明白になると共に、生体毎に別けて現状における所要センサによる測定状態の適否を示すモニタ状態情報が表示され、煩わしさなく一見して所要センサによる測定状態の適否を目視可能である。
【００１７】
本発明に係る生体情報表示システム、生体情報表示モニタ及び生体情報表示モニタ用プログラムによれば、表示する内容を選択するための操作部からの入力に応じて、少なくともバイタルアラームとテクニカルアラームとに関する表示切り換えを行うので、アラーム情報について所望の内容を選択表示して監視することが可能である。
【００１８】
本発明に係る生体情報表示システム、生体情報表示モニタ及び生体情報表示モニタ用プログラムによれば、複数の生体毎の生体情報における複数の監視対象項目に対応してアラーム発生条件情報を設定するための設定画面情報を備えており、表示する内容を選択するための操作部からの入力に応じて、上記設定画面情報に基づき、複数の生体毎の生体情報における複数の監視対象項目に対応してアラーム発生条件情報を設定するための設定画面を前記第２の領域及び前記第３の領域に表示するので、生体毎の生体情報における監視対象項目に対応してアラーム発生条件情報を設定することが可能であるため、複数人のアラームに関する設定値を同時設定が速やかにでき、複数人のアラーム発生条件を一括参照が可能となる。
【００１９】
本発明に係る生体情報表示システム、生体情報表示モニタ及び生体情報表示モニタ用プログラムによれば、アラームの履歴情報を時系列に配列して表示データ化しているので、これを表示することができ、アラームの発生を時系列に追跡することができる。
【００２０】
本発明に係る生体情報表示システム、生体情報表示モニタ及び生体情報表示モニタ用プログラムによれば、アラームの発生時点を示すシンボルを時系列に配列して表示データ化しているので、アラームの発生時点がシンボルにより時系列に表示され、アラーム発生頻度などを直観的に把握することができる。
【００２１】
本発明に係る生体情報表示システム、生体情報表示モニタ及び生体情報表示モニタ用プログラムによれば、表示する内容を選択するための操作部からの入力に応じて、前記履歴表示データ化手段によりデータ化された所要の一生体に対応するバイタルアラームの発生履歴情報とテクニカルアラームの発生履歴情報を前記第２の領域に表示するので、多人数の表示に代えて一生体に係るバイタルアラームの発生履歴情報とテクニカルアラームの発生履歴情報を表示して詳細に分析などすることが可能である。
【発明を実施するための最良の形態】
【００２２】
以下添付図面を参照して本発明に係る生体情報表示システム、生体情報表示モニタ及び生体情報表示モニタ用プログラムの実施例を説明する。各図において、同一の構成要素には同一の符号を付して重複する説明を省略する。図１には、本発明に係る生体情報表示システムの構成図が示されている。即ち、生体情報表示システムは、ＬＡＮ（ローカル  エリア  ネットワーク）１に、セントラルモニタ２と複数のベッドサイドモニタ３−１〜３−ｎとが接続されている。ＬＡＮ１は、有線または無線である。なお、セントラルモニタ２と複数のベッドサイドモニタ３−１〜３−ｎとはテレメータによりデータの受け渡しをしてもよい。
【００２３】
セントラルモニタ２は、例えば図２に示されるように構成されている。すなわち、図２のセントラルモニタ２は、装置を統括制御するＣＰＵ５１を有し、このＣＰＵ５１に上記ＣＰＵ５１が用いるプログラム及びデータ等の情報が記憶される主記憶装置５２が接続されている。更に、ＣＰＵ５１には、システムバス５３を介してタッチパネル制御部５４、表示制御部５５、プリンタ制御部５６、通信インタフェース５７、マウス制御部５８、メモリ制御部５９が接続されている。タッチパネル制御部５４には各種情報を入力可能なタッチパネル入力装置６０が接続され、表示制御部５５には情報を表示するためのＬＣＤ表示装置６１が接続され、プリンタ制御部５６には情報を印字出力するためのプリンタ装置６２が接続され、通信インタフェース５７にはＬＡＮ１を介して通信を行うための通信処理部６３が接続され、マウス制御部５８にはポインティングディバイスであるマウス６４が接続され、メモリ制御部５９には補助記憶装置であるメモリ装置６５が接続されている。
【００２４】
図３は、ベッドサイドモニタ３−１〜３−ｎを代表するベッドサイドモニタ３−１の要部を示すものであり、入力ポート６８には、各種センサ５−１〜５−ｍから送られた生体信号が到来する。各種センサ５−１〜５−ｍとしては、心電図測定用電極、血圧測定用カフ、酸素飽和度測定用プローブなどであり、患者毎に必要に応じて採用される。ベッドサイドモニタ３−１においては、上記のセンサにより得られる生体情報を送信する送信手段である通信処理部６３及び通信インタフェース５７から情報送信をＬＡＮ１へ送信する。
【００２５】
図４は、セントラルモニタ２の要部構成と機能ブロック図を示すものである。セントラルモニタ２は、通信処理部６３及び通信インタフェース５７を介して生体情報を受ける受信部として機能させている。通信処理部６３及び通信インタフェース５７により受信された生体情報は、ＣＰＵ５１により患者ＩＤ（識別情報）に対応付けられて、メモリ制御部５９を介してメモリ装置６５へ記憶される。ＣＰＵ５１は、例えば磁気ディスク装置６５に記憶されている生体情報表示モニタ用プログラムを主記憶装置５２へ取り出し、実行することにより図４に示すバイタルアラーム情報出力手段２１、生体情報波形作成手段２２、検出出力手段２３、履歴表示データ化手段２４、モニタ状態情報作成手段２５、表示制御手段２６として機能するものである。
【００２６】
上記各種手段について説明する前に、この実施例において例示する生体情報のアラーム（バイタルアラーム）とテクニカルアラームに関して説明する。ここでは、一例としてＬＣＤ表示装置６１に、心電図と脈波波形を波形図として表示する。また、生体情報に関するアラームとしては、ＨＲ（心拍）、ＰＲ（脈拍数）、ＡＲＴ（動脈圧）、ＮＩＢＰ（非観血血圧）、ＳｐＯ2（動脈血酸素飽和度）、ＣＯ2（二酸化炭素分圧）、ＴＥＭＰ（体温）、ＣＶＰ（中心静脈圧）、ＡＰＮＥＡ（無呼吸）を監視対象項目（パラメータ）として扱い、これらの監視対象項目について上下限値のいずれかを設定して、設定された上下限値を超えた場合にアラームを発生させる。
【００２７】
また、生体情報である不整脈に関するアラームとしては、ＡＳＹＳＴＯＬＥ（心停止）Ｖ  ＦＩＢ（心室細動）、Ｖ  ＴＡＣＨＹ（心室性頻拍）、ＶＰＣ  ＲＵＮ（心室性期外収縮）、ＢＲＡＤＹＣＡＲＤＩＡ（徐脈）、ＣＯＵＰＬＥＴ（二連性心室性期外収縮）、ＢＩＧＥＭＩＮＹ（心室性二段脈）を監視対象項目として扱う。これら不整脈に係る監視対象項目についてアラーム発生は、セントラルモニタ２が備えている不整脈処理プログラムが心電波形等を解析することにより検出される。
【００２８】
更に、テクニカルアラームとしては、心電計の測定用電極が不適切に貼着されている場合などに所定電極間の電位差が所定でないことなどに基づき検出される「電極確認」のアラーム、心電計により得られる信号にノイズが重畳した場合などに心電計ではあり得ない波形を検出するなどに基づき検出される「ノイズ」のアラーム、脈波計により得られる信号において所要範囲外の信号が得られるなどした場合などに測定系の電流や電圧に基づき検出される「ＳｐＯ2」アラーム、ＬＡＮ１が無線ＬＡＮである場合に通信処理部６３において或いはテレメータ受信部において電界強度に基づき所要強度以上の電波が受信できないことを検出したときに発生される「電波切れ」などがある。
【００２９】
図４に示すバイタルアラーム情報出力手段２１は、生体（患者）毎の生体情報における監視対象項目に対応して設定されているアラーム発生条件情報に基づき、バイタルアラーム情報を出力するものである。前述の上下限値はアラーム発生条件情報を構成し、また不整脈処理プログラムが心電波形等を解析して不整脈と判定する場合の条件はアラーム発生条件情報を構成する。
【００３０】
生体情報波形作成手段２２は、生体毎の各センサにより得られる生体情報に基づき、生体情報波形を作成するものであり、この実施例では心電図と脈波の波形（表示用波形情報）を作成する。検出出力手段２３は、生体毎の所要センサにより得られる生体情報とセンサ状態とに基づき、測定状態の異常を示すテクニカルアラーム情報を検出出力するものである。即ち、検出出力手段２３は、前述の通りの処理によりテクニカルアラーム情報を検出出力する。
【００３１】
履歴表示データ化手段２４は、バイタルアラーム情報出力手段２１による出力結果に基づき、生体毎に別けてバイタルアラームの発生履歴情報を表示データ化すると共に、検出出力手段２３による検出結果に基づき、生体毎に別けてテクニカルアラームの発生履歴情報を表示データ化するものである。
【００３２】
モニタ状態情報作成手段２５は、検出出力手段２３による少なくとも現在の検出結果情報に基づき、生体毎に別けて現状における所要センサによる測定状態の適否を示すモニタ状態情報を作成するものである。
【００３３】
表示制御手段２６は、表示制御部５５へ表示データを与えて画面上に生体情報が表示されるようにするものであり、表示手段であるＬＣＤ表示装置６１の画面内に、図５に示すように第１の領域１１、第２の領域１２、第３の領域１３を設けて、これらの領域に所要の情報を表示するように機能するものである。
【００３４】
具体的には、表示制御手段２６は、画面の第１の領域１１に生体情報波形作成手段２２により作成された所定数の生体に対応する生体情報波形を表示し、上記第１の領域１１と異なる上記画面の第２の領域１２に上記履歴表示データ化手段２４により作成された所定数の生体に対応するバイタルアラーム及び／又はテクニカルアラームを表示し、上記第１の領域１１及び第２の領域１２と異なる上記画面の第３の領域１３に上記モニタ状態情報作成手段２５により作成された所定数の生体に対応するモニタ状態情報を表示する。なお、３つの各領域の画面上の配置はこれに限定されるものではない。
【００３５】
上記の表示制御手段２６により表示制御部５５を介してＬＣＤ表示装置６１の画面内に表示された表示例を図面代用写真で図６に示す。この図６における対応位置について符号を付して示した図５を用いて説明を行う。第１の領域１１は図６に示されるように、４×４の１６枠に分割され、各枠に一人の患者に対応する生体情報波形が、患者氏名や生体情報数値と共に表示される。図６の例では、殆どの枠において、心電図と心拍数とが患者氏名と共に表示されている。
【００３６】
第１の領域１１の最右枠における上から第３枠目には、図６においては脈波と脈拍数とが患者氏名と共に表示されている。第３枠目の上側枠は、患者の一時退出によりセンサが取り外されモニタが中断している場合の表示例であり、この枠の下側枠は、空床の場合の表示例である。なお、複数種の生体情報波形を採取するセンサが取り付けられた患者について、この第１の領域に表示する生体情報波形に関しては、予め設定画面において選択して設定を行っておくことにより、表示制御手段２６が設定情報に基づき選択を行って該当生体情報波形を表示する。
【００３７】
第２の領域１２は、図６に示す通り左右にそれぞれ４枠の合計８枠を備え、一時に８人の患者に対応するバイタルアラーム及び／又はテクニカルアラームを表示可能である。図６においては、設定された上下限値を超えた場合のアラーム情報が表示され、アラームの履歴情報は時系列に配列して表示データ化されているため、左右に時系列に表示されている。表示する監視対象項目は、４項目であるが、画面の大きさにより４項目に限定されるものではない。また、アラームの発生時点を示すシンボルである微小な縦棒を時系列に配列して表示データとしており、図６に明らかな通り、発生頻度に応じて微小な縦棒が混み合うので、アラーム発生の多少が一目瞭然である。シンボルの色は予めアラームの優先順位毎に赤橙黄青の４色から決められた色が用いられている。
【００３８】
なお、第２の領域１２の下側には図５に示されるように時刻バー領域Ｔが設けられ、表示制御手段２６により左右の時刻バー領域Ｔ内に同じ時刻が表示される。時刻バー領域Ｔ内における最も右側には、現在の時刻が表示される。時刻バー領域Ｔに表示された時刻と、第２の領域１２のアラーム情報とを比較して、何時ごろに多くのアラームが発生されたのか、或いは何時ごろが少ないのかを知ることができる。
【００３９】
第３の領域１３には、第２の領域１２の枠に対応して、第２の領域１２の枠の左側に４段で合計８枠が設けられ、モニタ状態情報が表示される。本実施例において、モニタ状態情報作成手段２５は、現在から１時間前までの間における各テクニカルアラームの発生回数の合計が、９回までの場合には「良」を示すモニタ状態情報を作成し、１０回以上２９回までの間である場合には「可」を示すモニタ状態情報を作成し、３０回以上である場合には「悪」を示すモニタ状態情報を作成するものである。この作成されたモニタ状態情報は、「良」の場合には緑色の丸印を表示することを示し、「可」の場合には黄色の丸印を表示することを示し、「悪」の場合には赤色の丸印を表示することを示すものであり、表示制御手段２６により表示制御部５５を介してＬＣＤ表示装置６１の第３の領域１３には、図６のような表示が行われる。このように第３の領域１３において患者対応にモニタ状態情報が表示されるので、患者毎にモニタ状態が「良、可、悪」のいずれであるかが一目で分かり、第２の領域１２におけるアラームの表示と合わせて必要な対応をとることが可能である。モニタ状態情報は、３段階に限られるものではなく、２段階或いは４段階以上で表示するようにしても良い。
【００４０】
また、第２の領域１２の上側には図５に示されるようにタグを表示する領域であり、図６の表示例では、タグｔａｇ１〜タグｔａｇ９が表示されている。図６において、タグｔａｇ１は、第２の領域１２に対して、患者番号が１〜８の患者に対応する表示を行わせるためのタグであり、タグｔａｇ２は、第２の領域１２に対して、患者番号が９〜１６の患者に対応する表示を行わせるためのタグである。また、タグｔａｇ３〜ｔａｇ７は、患者をグループに別けて表示させるタグである。
【００４１】
上記タグｔａｇ１〜タグｔａｇ９のいずれかが操作された場合に対応する表示を行うために、例えばメモリ装置６５には、患者ＩＤに対して、患者名と各タグ名称（Ａ〜Ｅ）に対する帰属フラグ（１にて帰属フラグセットを示し、０にてリセットを示す）とが対応付けられて、図７に示されるように記憶されている。この図７の例では、「グループＡ」の表示がなされているタグｔａｇ３の操作により、帰属フラグがセットされている６名に対応する情報を表示させることができ、「グループＢ」の表示がなされているタグｔａｇ４の操作により、帰属フラグがセットされている６名に対応する情報を表示させることができ、「グループＣ」の表示がなされているタグｔａｇ５の操作により、帰属フラグがセットされている２名に対応する情報を表示させることができ、「グループＤ」の表示がなされているタグｔａｇ６の操作により、帰属フラグがセットされている２名に対応する情報を表示させることができる。また、「グループＥ」には帰属フラグがセットされていないので、「グループＥ」の表示がなされているタグｔａｇ６の操作を行っても情報表示は行われない。
【００４２】
タグｔａｇ８は、グループ設定を行うための画面を表示させるもので、グループ設定を行うための画面は図７に示した記憶内容と一致するものである。この画面において、帰属フラグのセット・リセットを行うことにより、グループ設定を変更することができる。タグｔａｇ９は、グループ名を登録するための画面を表示させるもので、この画面では、例えば「グループＡ」〜「グループＥ」の入力欄と、文字候補及び「ＯＫ」キーを表示し、登録する入力欄を選択し、文字候補を選択操作して所望のグループ名を入力し、「ＯＫ」キーを操作して完了するように構成される。これにより、図７の記憶内容について、「グループＡ」〜「グループＥ」の所望の名称が変更され、記憶が行われる。
【００４３】
図５に示すように、画面の最下欄はキー領域１５であり、画面の最右欄もキー領域１６である。キー領域１５には、図６に示すように「システム設定」、「オーバービュー」、「ヘルプ」、「印刷禁止」、「レビュー」、「画面」、「パラメータ」、「患者管理」、「多人数アラームイベント」、「印刷」、「波形表示」、「メニュー」、「戻る」、「全患者」の各キーが表示され、タッチパネル入力装置６０により操作することができる。
【００４４】
図６に示すようにキー領域１６には、上側から「多人数上下限設定」、表示タイプについて「上下限」「不整脈」「テクニカル」、「ズームイン」及び「ズームアウト」の各キーが表示され、タッチパネル入力装置６０により操作することができる。図６に示された表示例では、「上下限」キーが操作された状態であり、「上下限」キーの表示色が変化しており、設定された上下限値を超えた場合にアラームを発生させる「上下限」対応のアラーム表示モードであることが示されている。
【００４５】
上記図６に示す如くの表示がなされているときに、表示タイプについて「不整脈」キーが操作されると、表示制御手段２６は表示制御部５５を介してＬＣＤ表示装置６１の画面における第２の領域１２内に不整脈に関するアラーム情報を表示する。上記の表示制御手段２６により表示制御部５５を介してＬＣＤ表示装置６１の画面における第２の領域１２内に表示された不整脈に関するアラーム情報の表示例を図面代用写真で図８に示す。
【００４６】
この場合には表示タイプについて「不整脈」キーの表示色が変化しており、不整脈が検出された場合にアラームを発生させる「不整脈」対応のアラーム表示モードであることが示されている。図８のような表示が行われるので、不整脈に係る監視対象項目についてどの時刻において多くアームが発生し、どの時刻で不整脈が起こらないかを一目瞭然に知ることができる。また、長時間監視することにより投薬などによる治療効果が一目でわかる。また、第３の領域１３におけるモニタ状態情報と合わせて考慮することができ、次に示すテクニカルアラームについて調べるなどの対策をとることが可能となる。
【００４７】
上記図６或いは図８に示す如くの表示がなされているときに、表示タイプについて「テクニカル」キーが操作されると、表示制御手段２６は表示制御部５５を介してＬＣＤ表示装置６１の画面における第２の領域１２内にテクニカルアラーム情報を表示する。上記の表示制御手段２６により表示制御部５５を介してＬＣＤ表示装置６１の画面における第２の領域１２内に表示されたテクニカルアラーム情報の表示例を図面代用写真で図９に示す。
【００４８】
この場合には表示タイプについて「テクニカル」キーの表示色が変化しており、電極確認やノイズなどに関する異常が検出された場合にアラームを発生させる「テクニカル」対応のアラーム表示モードであることが示されている。この図９のような表示が行われるので、電極確認やノイズなどの監視対象項目についてどの程度の頻度でどの時刻にアラームが発生したのかを知ることができる。テクニカルアラームの発生時点のみでなく発生時点から終了時点まで表示してもよい。また、第３の領域１３におけるモニタ状態情報と合わせて考慮することができ、必要な対策をとることが可能となる。なお、バイタルアラームとテクニカルアラームを同時に表示しても良い。
【００４９】
以上のように、表示制御手段２６は、第２の領域１２に表示する内容を選択するための操作部における上記キーからの入力に応じて、２種類バイタルアラーム画面とテクニカルアラーム画面とに関する表示切り換えを行う。バイタルアラーム画面とテクニカルアラーム画面との数は、本実施例に限定されるものではなく、表示制御手段２６は、少なくともバイタルアラームとテクニカルアラームとに関する表示切り換えを行う。
【００５０】
キー領域１６には、図１０に示すように上側から「多人数アラームイベント」、「多人数上下限設定」、表示タイプについて「上下限テクニカル」「不整脈テクニカル」、「ズームイン」及び「ズームアウト」の各キーが表示され、タッチパネル入力装置６０により操作することができる。
【００５１】
図１０に示された表示例では、「上下限テクニカル」キーが操作された状態であり、「上下限テクニカル」キーの表示色が変化しており、設定された上下限値を超えた場合にアラームを発生させる「上下限」と共に電極確認やノイズなどに関する異常が検出された場合にアラームを発生させる「テクニカル」の双方を合わせたアラーム表示モードであることが示されている。従って、アラーム情報が表示されている領域の最左側には、図６に示した「上下限」対応のアラーム表示モードにおいて表示される監視対象項目と、図９に示した「テクニカル」対応のアラーム表示モードにおいて表示される監視対象項目とが縦方向に並べられて表示されている。
【００５２】
図５に示される左右の時刻バー領域Ｔは図１０では一つにされて、時刻が表示される。一本の時刻バー領域Ｔの左右には、図１０に示されるように左スクロールキー及び右スクロールキーが表示され、更にその外側にそれぞれ最左端へのジャンプキー及び最右端へのジャンプキーが表示される。これらのキーは、タッチパネル入力装置６０により操作することができる。これらのキーの操作により、表示されているアラーム情報のスクロールまたは最左端や最右端へのジャンプを実行することが可能である。
【００５３】
図１０のようにアラーム情報の表示領域の中央には、縦方向に直線状に延びるカーソルが表示される。上記スクロールキーなどを用いて表示されているアラーム情報をスクロールなどさせ、カーソルが指示する時刻位置を変化させることができる。シンボルである。このように表示がなされるので、一人の患者に対応する上下限値に対するバイタルアラームとテクニカルアラームとの発生時点とその頻度が明らかとなり、患者の状態をアラーム発生の頻度などで把握でき、またセンサが適切な状態にあるかについても同時に把握することができ便利である。
【００５４】
図１０の表示例では、図５のタグｔａｇ１〜タグｔａｇ１０が表示されている。図１０において、タグｔａｇ１はトレンドのレビューを、タグｔａｇ２は文字によるリストのレビューを、タグｔａｇ３は血行動態リストのレビューを、タグｔａｇ４は不整脈リコールのレビューを、タグｔａｇ５はＳＴ（心電波形Ｓ−Ｔ間隔）のレビューを、タグｔａｇ６は長時間波形のレビューを、タグｔａｇ７はＥＣＧ（心電波形）１２誘導解析のレビューを、タグｔａｇ８はアラーム履歴のレビューを、タグｔａｇ９はアラームイベントのレビュー（当該図１０の表示）を、タグｔａｇ１０は文字によるレポートのレビューを、それぞれ表示させるためのタグであり、ここでは、タグｔａｇ９が操作された状態であり、タグｔａｇ９の表示色が変化している。タグｔａｇ９以外のレビューにジャンプする場合には、表示制御手段２６はカーソルが指示する時刻位置に対応するレビューを表示する。
【００５５】
図１０のように表示されているときに、表示タイプについて「不整脈テクニカル」キーを操作すると、表示制御手段２６は表示制御部５５を介してＬＣＤ表示装置６１の画面における第２の領域１２及び第３の領域１３内に、当該患者に対応する不整脈に関するアラーム情報とテクニカルアラーム情報を表示する。上記の表示制御手段２６により表示制御部５５を介してＬＣＤ表示装置６１の画面における第２の領域１２及び第３の領域１３内に表示された一人の患者に対応する「不整脈テクニカル」アラーム情報の表示例を図面代用写真で図１１に示す。
【００５６】
図１１に示された表示例では、「不整脈テクニカル」キーが操作された状態であり、「不整脈テクニカル」キーの表示色が変化しており、不整脈が検出された場合にアラームを発生させる「不整脈」と共に電極確認やノイズなどに関する異常が検出された場合にアラームを発生させる「テクニカル」の双方を合わせたアラーム表示モードであることが示されている。従って、アラーム情報が表示されている領域の最左側には、図８に示した「不整脈」対応のアラーム表示モードにおいて表示される監視対象項目と、図９に示した「テクニカル」対応のアラーム表示モードにおいて表示される監視対象項目とが縦方向に並べられて表示されている。
【００５７】
図１１の上記以外は、図１０の表示例と同じである。このように表示がなされるので、一人の患者に対応する不整脈に係るバイタルアラームとテクニカルアラームとの発生時点とその頻度が明らかとなり、患者の状態をアラーム発生の頻度などで把握でき、またセンサが適切な状態にあるかについても同時に把握することができ便利である。また、バイタルアラームとテクニカルアラームとを同時に表示しているためその相関関係がわかる。なお、上述の実施例ではバイタルアラームとテクニカルアラームの発生時点のみ表示していたが、発生時点から終了時点まで棒グラフにより表示してもよい。
【００５８】
図６、図８、図９、図１０、図１１に示した表示例における「多人数上下限設定」キーを操作すると、表示制御手段２６は、セントラルモニタ２がメモリ装置６５に記憶してある設定画面情報に基づき、生体毎の生体情報における監視対象項目に対応してアラーム発生条件情報を設定するための設定画面を第２の領域１２及び第３の領域１３に表示する。このようにして表示されたアラーム発生条件情報を設定するための設定画面の表示例を図面代用写真で図１２に示す。
【００５９】
図１２の第２の領域１２及び第３の領域１３には、横方向に８個、縦方向に６個の最大で合計４８個の枠が表示される。図１２の例では、例えば、測定対象としないため、第２行目の第５列から第８列の枠が表示されていない。各枠に対しては、タッチパネル入力装置６０から操作が可能である。縦方向は監視対象項目に対応しており、１枚の画面で６監視対象項目まで表示され、この例では２枚の画面で合計１２監視対象項目について条件情報の設定が可能となっている。このように複数人の患者に対して複数の監視対象項目の設定値について同時に設定することによりスムーズに設定値を設定することが可能となっている。第２枚目の画面を表示させるためには、画面の最下欄に表示されている「パラメータ」キーを操作する。これにより表示制御手段２６は、セントラルモニタ２がメモリ装置６５に記憶してある設定画面情報に基づき、第２枚目の画面を表示する。
【００６０】
上記の最大で合計４８個の枠の表示例として、図１２における第１行目の最左側の枠を図１３に示す。枠内の左側の大エリア４１には、当該監視対象項目の測定現在値が表示され、大エリア４１の上部のエリア４２には、監視対象項目（ここでは、心拍を示すＨＲ）の表示がなされ、大エリア４１の右上部エリア４３Ｕには、上限値（当初はデフォルト値）が表示され、大エリア４１の右下部エリア４３Ｄには、下限値（当初はデフォルト値）が表示される。更に上限値および下限値を初期値から変更した値は、赤で目立たせることにより、設定値の妥当性の確認及び誤設定の低減の効果を有する。
【００６１】
図１２の表示例では、タグｔａｇ１〜タグｔａｇ９が表示され、図６と同様の設定が行われているので、タグｔａｇ１〜タグｔａｇ９に関する説明を省略する。図１２の表示例では、タグｔａｇ１が操作された状態であり、最大で合計４８個の枠の各列は、患者名と患者ＩＤに対応付けられている。
【００６２】
このように、セントラルモニタ２のメモリ装置６５には、多人数の生体毎の生体情報における監視対象項目に対応してアラーム発生条件情報を設定するための設定画面情報が備えられており、少なくとも第２の領域１２に表示する内容を選択するための操作部からの入力に応じて、上記設定画面情報に基づき、生体毎の生体情報における監視対象項目に対応してアラーム発生条件情報を設定するための設定画面を第２の領域１２及び第３の領域１３に表示するので、多人数の監視対象項目を一覧しながら対応するアラーム発生条件情報を同時に設定することが可能であり、比較対象により誤設定を少なくすることが可能である。
【００６３】
以上、本発明の好適な実施例について説明したが、本発明は前記実施例に限定されることなく、バイタルアラーム及びテクニカルアラームを同時に表示することなど、本発明の精神を逸脱しない範囲内において、多くの設計変更が可能である。
【図面の簡単な説明】
【００６４】
【図１】本発明に係る生体情報表示システムの全体構成図。
【図２】本発明に係る生体情報表示システムに用いられているセントラルモニタの構成図。
【図３】本発明に係る生体情報表示システムに用いられているベッドサイドモニタの要部構成図。
【図４】本発明に係る生体情報表示システムに用いられているセントラルモニタの要部構成と機能ブロック図。
【図５】本発明に係る生体情報表示システムにおいて採用される画面構成を示す図。
【図６】本発明に係る生体情報表示システムにおいて表示される画面内容を示す代用写真の図。
【図７】本発明に係る生体情報表示システムにおいて記憶されているタグと患者名等の関係を示す図。
【図８】本発明に係る生体情報表示システムにおいて表示される画面内容を示す代用写真の図。
【図９】本発明に係る生体情報表示システムにおいて表示される画面内容を示す代用写真の図。
【図１０】本発明に係る生体情報表示システムにおいて表示される画面内容を示す代用写真の図。
【図１１】本発明に係る生体情報表示システムにおいて表示される画面内容を示す代用写真の図。
【図１２】本発明に係る生体情報表示システムにおいて表示される画面内容を示す代用写真の図。
【図１３】図１２に示された所要表示枠内の拡大図。
【符号の説明】
【００６５】
２  セントラルモニタ                          ３−１〜３−ｎ  ベッドサイドモニタ
５−１〜５−ｍ  センサ                        ２１  バイタルアラーム情報出力手段
２２  生体情報波形作成手段                    ２３  検出出力手段
２４  履歴表示データ化手段                    ２５  モニタ状態情報作成手段
２６  表示制御手段                            ５１  ＣＰＵ
５２  主記憶装置                              ５３  システムバス
５４  タッチパネル制御部                      ５５  表示制御部
５６  プリンタ制御部                          ５７  通信インタフェース
５８  マウス制御部                            ５９  メモリ制御部
６０  タッチパネル入力装置                    ６１  ＬＣＤ表示装置
６２  プリンタ装置                            ６３  通信処理部
６４  マウス                                  ６５  メモリ装置
【図１】
0005110270.tif 000002
【図２】
0005110270.tif 000003
【図３】
0005110270.tif 000004
【図４】
0005110270.tif 000005
【図５】
0005110270.tif 000006
【図７】
0005110270.tif 000007
【図１３】
0005110270.tif 000008
【図６】
0005110270.tif 000009
【図８】
0005110270.tif 000010
【図９】
0005110270.tif 000011
【図１０】
0005110270.tif 000012
【図１１】
0005110270.tif 000013
【図１２】
0005110270.tif 000014